(57)【要約】【課題】  内蔵式アンテナを具えたフットパッドの提供。【解決手段】  電子製品の底板に組み付けられ、底板下方に組み付けられる一組のフットパッド、及びフットパッド内部に収容されたアンテナを具えている。本発明はこの内蔵式アンテナを具えたフットパッドを利用し、無線電子製品、例えば、無線伝送機能を具えたマルチメディアコンピュータ、ノートブック型コンピュータ、ＣＤプレイヤーなどのケースに余分の設計空間を増加させ、並びにアンテナ組付けの便利性を増す。【選択図】        図２
2006115440.tif 000002
【特許請求の範囲】
【請求項１】
内蔵式アンテナを具えたフットパッドにおいて、該内蔵式アンテナを具えたフットパッドは電子製品の底板に組み付けられ、
該底板の下方に組み付けられる一組のフットパッドと、
該フットパッド内部に収容されたアンテナと、
を具えたことを特徴とする、内蔵式アンテナを具えたフットパッド。
【請求項２】
請求項１記載の内蔵式アンテナを具えたフットパッドにおいて、フットパッド内部に収容空間が凹設され、且つアンテナが該フットパッドの該収容空間内に収容されたことを特徴とする、内蔵式アンテナを具えたフットパッド。
【請求項３】
請求項１記載の内蔵式アンテナを具えたフットパッドにおいて、フットパッド内部に更に平板体が収容され、アンテナが該平板体に固定されたことを特徴とする、内蔵式アンテナを具えたフットパッド。
【請求項４】
請求項３記載の内蔵式アンテナを具えたフットパッドにおいて、平板体に二つの貫通孔と二つの通し孔が開設され、且つフットパッドに該二つの貫通孔に対応する二つのフックが凸設されたことを特徴とする、内蔵式アンテナを具えたフットパッド。
【請求項５】
請求項１記載の内蔵式アンテナを具えたフットパッドにおいて、電子製品の底板に二つの貫通孔が開設され、フットパッドに二つのネジ孔が開設され、フットパッドに開設された二つのネジ孔が底板の貫通孔に対応し、ネジが底板の貫通孔を通り対応するフットパッドのネジ孔に螺合されたことを特徴とする、内蔵式アンテナを具えたフットパッド。
【請求項６】
請求項１記載の内蔵式アンテナを具えたフットパッドにおいて、電子製品の底板に取付孔が開設され、アンテナの一端にコネクタが延設されて、該コネクタが該底板の取付孔を通り電子製品内部に至ることを特徴とする、内蔵式アンテナを具えたフットパッド。
【発明の詳細な説明】
【技術分野】
【０００１】
本発明は内蔵式アンテナを具えたフットパッドに係り、特に、無線伝送機能を具えた電子製品のフットパッド、例えば無線伝送機能を具えたマルチメディアコンピュータ、ノートブック型コンピュータ、ＣＤプレイヤーなどに適用される内蔵式アンテナを具えたフットパッドに関する。
【背景技術】
【０００２】
一般の電子製品に対して、無線伝送方式を利用した設計は、既に主要な訴求機能の一つとなっており、例えば、無線オンラインでき無線ネットワークを具えたマルチメディアコンピュータがある。
【０００３】
上述の無線伝送機能を具えたマルチメディアコンピュータを例に挙げると、それは無線信号受信と発射用のアンテナを具備していなければならず、伝統的なアンテナの組み付け方式は、アンテナを直接マルチメディアコンピュータのケースの前方にネジ止めした後、更にマシンカバーをマルチメディアコンピュータの面板に設ける、というものである。
【０００４】
しかし、消費者のマルチメディアコンピュータ等電子製品使用の習慣は徐々に改変されており、並びにマルチメディアコンピュータの機能が増加するにつれ、マルチメディアコンピュータ前方面板に設けられたコントロールボタンも増加する。しかしこのような設計は却ってマルチメディアコンピュータ前方面板の使用可能な空間をますます狭め、このためアンテナのマルチメディアコンピュータケース前方の空間内への組み付けが容易でなくなる。
【０００５】
以上から分かるように、従来の技術のアンテナの組付け方式は明らかに不便と問題の存在を有しており、改善が待たれている。
【発明の開示】
【発明が解決しようとする課題】
【０００６】
本発明は一種の内蔵式アンテナを具えたフットパッドを提供することを目的とし、それは、電子製品の底板に組み付けられ、底板下方に組み付けられる一組のフットパッド、及びフットパッド内部に収容されたアンテナを具えている。本発明はこの内蔵式アンテナを具えたフットパッドを利用し、無線電子製品、例えば、無線伝送機能を具えたマルチメディアコンピュータ、ノートブック型コンピュータ、ＣＤプレイヤーなどのケースに余分の設計空間を増加させ、並びにアンテナ組付けの便利性を増す。
【０００７】
上述のフットパッドはネジ止め方式で底座に組付けられるか、粘着方式で底座に接合されるか、或いは部品係合方式を利用して固定される。
【課題を解決するための手段】
【０００８】
請求項１の発明は、内蔵式アンテナを具えたフットパッドにおいて、該内蔵式アンテナを具えたフットパッドは電子製品の底板に組み付けられ、
該底板の下方に組み付けられる一組のフットパッドと、
該フットパッド内部に収容されたアンテナと、
を具えたことを特徴とする、内蔵式アンテナを具えたフットパッドとしている。
請求項２の発明は、請求項１記載の内蔵式アンテナを具えたフットパッドにおいて、フットパッド内部に収容空間が凹設され、且つアンテナが該フットパッドの該収容空間内に収容されたことを特徴とする、内蔵式アンテナを具えたフットパッドとしている。
請求項３の発明は、請求項１記載の内蔵式アンテナを具えたフットパッドにおいて、フットパッド内部に更に平板体が収容され、アンテナが該平板体に固定されたことを特徴とする、内蔵式アンテナを具えたフットパッドとしている。
請求項４の発明は、請求項３記載の内蔵式アンテナを具えたフットパッドにおいて、平板体に二つの貫通孔と二つの通し孔が開設され、且つフットパッドに該二つの貫通孔に対応する二つのフックが凸設されたことを特徴とする、内蔵式アンテナを具えたフットパッドとしている。
請求項５の発明は、請求項１記載の内蔵式アンテナを具えたフットパッドにおいて、電子製品の底板に二つの貫通孔が開設され、フットパッドに二つのネジ孔が開設され、フットパッドに開設された二つのネジ孔が底板の貫通孔に対応し、ネジが底板の貫通孔を通り対応するフットパッドのネジ孔に螺合されたことを特徴とする、内蔵式アンテナを具えたフットパッドとしている。
請求項６の発明は、請求項１記載の内蔵式アンテナを具えたフットパッドにおいて、電子製品の底板に取付孔が開設され、アンテナの一端にコネクタが延設されて、該コネクタが該底板の取付孔を通り電子製品内部に至ることを特徴とする、内蔵式アンテナを具えたフットパッドとしている。
【発明の効果】
【０００９】
本実施例のフットパッドはアンテナを内蔵し、これにより面板上或いはケース内に更にアンテナを取り付ける必要を無くし、これにより面板或いはケースのその他の設計のための空間を増すことができ、これにより面板或いはケースに余分の設計空間を増し、並びにアンテナ組み付けの便利性を増すことができる。
【発明を実施するための最良の形態】
【００１０】
本発明の内蔵式アンテナを具えたフットパッドは、図１、２、３は電子製品１の底板１１に組み付けられ（図１）、フットパッド２とアンテナ３を具えている。そのうち、本実施例の電子製品１は、マルチメディアコンピュータとされ、その底板１１に取付孔１３が開設され（図２）、並びに二つの貫通孔１２が開設されている。このほか、フットパッド２は該底板１１の下方に組付けられる。アンテナ３はフットパッド２内部に収容される。図示されるように、アンテナ３の一端にコネクタ３１が延設され、それは底板１１の取付孔１３を通り、この電子製品１の内部に達し、電気的に内部回路板に接続される。
【００１１】
図２に示されるように、フットパッド２内部に下向きに収容空間２１が凹設され、図示されるように、平板体４が直接このフットパッド２内の収容空間２１内部に収容され、且つこの平板体４に二つの貫通孔４１と二つの通し孔４２が開設されている。本実施例では、アンテナ３は巻き付け方式で平板体４上に配設され、好ましくは、該平板体４は回路板とされ、且つアンテナ３は直接回路板上にレイアウトされる。このほか、アンテナ３はまたフットパッド２内部に一体に被覆されるように一体射出成形可能とされる。一方で、フットパッド２の中央に上向きに二つのフック２２が凸設され、それは平板体４の対応する貫通孔４１を通り並びに底板１１の取付孔１３を通り取付孔１３の二側端に係止され、これによりフットパッド２と平板体４が結合され並びに底板１１に係止され、更に二つのネジ５が底板１１の対応する貫通孔１２、平板体４の通し孔４２を通り、フットパッド２の二つのネジ孔２３に螺合され、ネジ止めが完成する。
【００１２】
このほか、ネジ止めを利用した固定のほか、上述のフットパッド２に凸設された二つのフック２２が運用されて直接平板体４の二つの貫通孔４１に通され並びに直接電子製品１の底板１１の取付孔１３の２側端に係止されても（図３）、組合せが完成し、ネジの利用が不要となり、組立時間を節約できる。或いは、粘着方式で上述の内蔵式アンテナを具えたフットパッド２と電子製品１の底板１１が接合されることで、その部品数量が減らされ、製造コストが減少される。
【００１３】
上述の電子製品１は無線伝送機能を具えたマルチメディアコンピュータ、ＣＤプレイヤー、或いはノートブック型コンピュータ及び家電用品、或いはその他の無線受信アンテナ、或いは無線伝送アンテナを具えた電子製品とされうる。
【００１４】
本実施例のフットパッド２は内蔵式アンテナ３を内蔵し、これによりアンテナを面板上或いはケース内に取り付ける必要を無くし、これにより面板或いはケースのその他の設計のための空間を増すことができ、これにより面板或いはケースに余分の設計空間を増し、並びにアンテナ組み付けの便利性を増すことができる。
【図面の簡単な説明】
【００１５】
【図１】本発明の実施例の実施状態図である。
【図２】本発明の実施例の分解図である。
【図３】本発明の実施例の組合せ図である。
【符号の説明】
【００１６】
１  電子製品            １１  底板          １２  貫通孔
１３  取付孔            ２  フットパッド    ２１  収容空間
２２  フック            ２３  ネジ孔        ３  アンテナ
３１  コネクタ          ４  平板体          ４１  貫通孔
４２  通し孔            ５  ネジ
【図１】
2006115440.tif 000003
【図２】
2006115440.tif 000004
【図３】
2006115440.tif 000005